(57)【要約】【課題】  使用済みの温水と給水源から供の水との間で効率的に熱交換させることができる上に、使用済みの温水の流通に伴って付着したスケールを物理的に除去することのできる給湯システム用排熱回収装置を提供する。【解決手段】  間隔をあけて配置された複数の伝熱カセットと、伝熱カセット同士を接続する複数の接続体とを備え、伝熱カセットは、内部に形成された通水路と、通水路に水を供給する給水孔と、通水路からの水を排出する排水孔とを備え、接続体は、隣り合う伝熱カセットに取り付けられる一対の接続部材を備え、一対の接続部材は、給水孔と連通する第一連通孔と、排水孔と連通する第二連通孔とを有し、相対回転可能に互いに接続され、複数の伝熱カセットが整列して配置された状態で、給水孔と第一連通孔とが連通して流入経路が形成され、排水孔と第二連通孔とが連通して流出経路が形成される。【選択図】図２
2014020763.tif 000002
【特許請求の範囲】
【請求項１】
使用済みの温水が排出される排水口に繋がる排水路内に設置される複数の伝熱カセットであって、互いに間隔をあけて配置された複数の伝熱カセットと、それぞれが伝熱カセット間に配置されて隣り合う伝熱カセット同士を接続する複数の接続体であって、複数の伝熱カセットの並ぶ方向に延びる仮想基準線上で整列して配置された複数の接続体とを備え、複数の伝熱カセットのそれぞれは、内部に形成された通水路と、通水路に給水源からの水を供給する給水孔であって、接続体と重なる領域内で仮想基準線の延びる方向に貫設された給水孔と、通水路からの水を排出する排水孔であって、接続体と重なる領域における給水孔と異なる位置で仮想基準線の延びる方向に貫設された排水孔とを備え、複数の接続体のそれぞれは、隣り合う伝熱カセットのそれぞれに取り付けられる一対の接続部材を備え、一対の接続部材のそれぞれは、隣り合う伝熱カセットの給水孔と連通する第一連通孔と、該伝熱カセットの排水孔と連通する第二連通孔とを有するとともに、仮想基準線回りで相対回転可能に互いに接続され、少なくとも複数の伝熱カセットが整列して配置された状態で、複数の伝熱カセットの給水孔と複数の接続体の第一連通孔とが連通し、給水源に繋がる一次側給水配管に繋がる流入経路が形成されるとともに、複数の伝熱カセットの排水孔と複数の接続体の第二連通孔とが連通し、湯沸器からの高温な湯が流通する給湯配管系に合流した二次側給水配管に繋がる流出経路が形成されることを特徴とする給湯システム用排熱回収装置。
【請求項２】
一対の接続部材のそれぞれは、隣り合う伝熱カセットに重ね合わされた状態で固定されるベースと、仮想基準線と同心でベースの一方の面から相手方に向けて突出した内側円筒部と、仮想基準線と同心でベースの一方の面から相手方に向けて突出した外側円筒部であって、内側円筒部の外周全周に対して間隔をあけて該内側円筒部を包囲する外側円筒部とを備え、第一連通孔が、内側円筒部の内側の領域、又は内側円筒部と外側円筒部との間の領域のうちの何れか一方の領域でベースを貫通して設けられるとともに、第二連通孔は、内側円筒部の内側の領域、又は内側円筒部と外側円筒部との間の領域のうちの何れか他方の領域でベースを貫通して設けられ、内側円筒部同士がシール材を介装した状態で互いに嵌合されるとともに、外側円筒部同士がシール材を介装した状態で互いに嵌合される請求項１に記載の給湯システム用排熱回収装置。
【請求項３】
複数の伝熱カセットのそれぞれは、プレート状に形成され、接続体の重なる領域が伝熱カセットの一端側に設定されるとともに、給水孔及び排水孔が伝熱カセットの一端側に設けられ、通水路は、伝熱カセットの両面間で、給水孔から供給された水が伝熱カセットの一端側から他端側に流れた上で一端側に戻って排水孔に排出されるように形成される請求項１又は２に記載の給湯システム用排熱回収装置。
【請求項４】
通水路は、伝熱カセットの一端と他端との間で蛇行するように形成される請求項３に記載の給湯システム用排熱回収装置。
【発明の詳細な説明】
【技術分野】
【０００１】
本発明は、湯沸器からの高温な湯と混合される給水源からの水を使用済みの温水で加熱するための給湯システム用排熱回収装置に関する。
【背景技術】
【０００２】
従来から、湯沸器で高温にした湯に対して上水道等の給水源からの水（以下、供給水という）を混合することで、高温な湯を適温にして浴室や台所等の各所に供給するようにした給湯システムが提供されている。
【０００３】
そして、この種の給水システムは、供給水の温度が低いと、湯沸器で水を加熱するエネルギーの消費量が多くなる上に、湯沸器で高温にした湯の消費量が多くなるとして、浴室や台所等から排出される使用済みの温水（以下、排温水という）の熱で供給水を加熱（加温）した上で、該供給水を高温な湯に混合するようにしたものが提供されている。（例えば、特許文献１参照）
【０００４】
かかる給湯システムは、排温水の熱（排熱）を回収する排熱回収装置として、プレート式熱交換器や二重管式熱交換器等の熱交換効率の高い熱交換器を備える。この種の排熱回収装置（熱交換器）は、熱交換流体を流通させる第一流路と、熱伝導性を有する隔壁によって第一流路と隔たれた第二流路であって、被熱交換流体を流通させる第二流路とを有する。すなわち、この種の熱交換器は、第一流路を流通する熱交換流体と第二流路を流通する被熱交換流体とが隔壁を介して熱交換するように構成されている。
【０００５】
これに伴い、上記構成の給湯システムは、排熱回収装置（熱交換器）の第一流路又は第二流路の何れか一方の流路に供給水を流通させ、排熱回収装置（熱交換器）の第一流路又は第二流路の何れか他方の流路に排温水を流通させることで、供給水と排温水とを熱交換させるようになっている。
【０００６】
これにより、この種の給湯システムは、排温水で加熱した供給水を湯沸器からの高温の湯と混合させることができるため、湯沸器で水を必要以上の温度に加熱したり湯沸器から多くの湯を供給したりする必要がなく、湯沸器でのエネルギーの消費を抑えることができるとされている。
【先行技術文献】
【特許文献】
【０００７】
【特許文献１】実用新案登録第３１４９９６８号公報
【発明の概要】
【発明が解決しようとする課題】
【０００８】
ところで、浴室や台所等から排出される排温水には、油分や洗剤等が含まれている。そのため、排温水に含まれる油分や洗剤等は、排熱回収装置内で第一流路と第二流路とを隔てる隔壁にスケールとして付着乃至堆積し、排温水を流通させる流路（第一流路又は第二流路）を詰まらせてしまう虞がある。
【０００９】
これに伴い、隔壁に付着したスケールを除去することが要求されるが、排熱回収装置に採用される熱交換器は、排温水を流通させる流路（第一流路又は第二流路の何れか他方の流路）が密閉空間で構成されるため、該流路を画定する隔壁（壁面）に付着したスケールを物理的な洗浄（ブラシ等による洗浄）で除去することができない。
【００１０】
そのため、この種の排熱回収装置は、一般的に洗浄力の強い薬液や液体洗剤を流通させることでスケールを除去（内部洗浄）することが推奨される。
【００１１】
しかしながら、給湯システムの排水系（排温水を流通させる経路）は、排水路に繋がっているため、排熱回収装置（隔壁）に対するスケールの除去に使用した薬液や液体洗剤が排水路に排出され、水質を汚染してしまう。
【００１２】
そこで、本発明は、使用済みの温水と給水源からの水との間で効率的に熱交換させることができる上に、使用済みの温水の流通に伴って付着したスケールを物理的に除去することのできる給湯システム用排熱回収装置を提供することを課題とする。
【課題を解決するための手段】
【００１３】
本発明に係る給湯システム用排熱回収装置は、使用済みの温水が排出される排水口に繋がる排水路内に設置される複数の伝熱カセットであって、互いに間隔をあけて配置された複数の伝熱カセットと、それぞれが伝熱カセット間に配置されて隣り合う伝熱カセット同士を接続する複数の接続体であって、複数の伝熱カセットの並ぶ方向に延びる仮想基準線上で整列して配置された複数の接続体とを備え、複数の伝熱カセットのそれぞれは、内部に形成された通水路と、通水路に給水源からの水を供給する給水孔であって、接続体と重なる領域内で仮想基準線の延びる方向に貫設された給水孔と、通水路からの水を排出する排水孔であって、接続体と重なる領域における給水孔と異なる位置で仮想基準線の延びる方向に貫設された排水孔とを備え、複数の接続体のそれぞれは、隣り合う伝熱カセットのそれぞれに取り付けられる一対の接続部材を備え、一対の接続部材のそれぞれは、隣り合う伝熱カセットの給水孔と連通する第一連通孔と、該伝熱カセットの排水孔と連通する第二連通孔とを有するとともに、仮想基準線回りで相対回転可能に互いに接続され、少なくとも複数の伝熱カセットが整列して配置された状態で、複数の伝熱カセットの給水孔と複数の接続体の第一連通孔とが連通し、給水源に繋がる一次側給水配管に繋がる流入経路が形成されるとともに、複数の伝熱カセットの排水孔と複数の接続体の第二連通孔とが連通し、湯沸器からの高温な湯が流通する給湯配管系に合流した二次側給水配管に繋がる流出経路が形成されることを特徴とする。
【００１４】
上記構成の給湯システム用排熱回収装置によれば、排水路内に設置される複数の伝熱カセットが互いに間隔をあけて配置されるため、排水路を流通する使用済みの温水が伝熱カセット間を流通する。そして、複数の伝熱カセットが整列して配置された状態で、各接続体において、一対の接続部材の第一連通孔同士及び第二連通孔同士が連通する。これにより、複数の接続体のそれぞれの第一連通孔が隣り合う伝熱カセットの給水孔と連通する。すなわち、複数の伝熱カセットが整列した状態で、第一連通孔と給水孔が流体的に繋がって一つの流入経路を形成する。また、これに併せて、複数の接続体のそれぞれの第二連通孔が隣り合う伝熱カセットの排水孔と連通する。すなわち、複数の伝熱カセットが整列した状態で、第二連通孔と排水孔が流体的に繋がって一つの流出経路を形成する。
【００１５】
従って、複数の伝熱カセットが整列した状態で、給水源から水を供給すると、第一連通孔及び給水孔が連通して形成される流入経路（各伝熱カセットの給水孔）から各伝熱カセット内の通水路に給水源からの水が流れ込む。そして、各伝熱カセットの通水路を流通した水は、第二連通孔及び排水孔が連通して形成される流出経路（各伝熱カセットの排水孔）に排出される。
【００１６】
このように、伝熱カセット間に使用済みの温水が流通しつつ、伝熱カセット内の通水路で給水源から連続的に供給される水が流通することで、給水源からの水と使用済みの温水とが熱交換し、結果的に、給水源からの水が加熱される。従って、無駄なエネルギーを使用することなく、給水源からの水を加熱でき、その水を湯沸器からの高温な湯と混合することができる。
【００１７】
そして、上記構成の給湯システム用排熱回収装置は、複数の接続体が複数の伝熱カセットの並ぶ方向に延びる仮想基準線上で整列して配置され、複数の接続体のそれぞれの一対の接続部材が仮想基準線回りで相対回転可能に互いに接続されているため、各伝熱カセットは、両側にある接続体に支持されつつ仮想基準軸回りで回転自在となる。これに伴い、各伝熱カセットが仮想基準軸回りで回転操作されることで、各伝熱カセットが個別に排水路から引き出された状態になる。従って、伝熱カセットの表面をブラシ等で物理的に清掃でき、該伝熱カセットの表面に付着した油分や洗剤等のスケールを効果的に除去することができる。
【００１８】
本発明の一態様として、一対の接続部材のそれぞれは、隣り合う伝熱カセットに重ね合わされた状態で固定されるベースと、仮想基準線と同心でベースの一方の面から相手方に向けて突出した内側円筒部と、仮想基準線と同心でベースの一方の面から相手方に向けて突出した外側円筒部であって、内側円筒部の外周全周に対して間隔をあけて該内側円筒部を包囲する外側円筒部とを備え、第一連通孔が、内側円筒部の内側の領域、又は内側円筒部と外側円筒部との間の領域のうちの何れか一方の領域でベースを貫通して設けられるとともに、第二連通孔は、内側円筒部の内側の領域、又は内側円筒部と外側円筒部との間の領域のうちの何れか他方の領域でベースを貫通して設けられ、内側円筒部同士がシール材を介装した状態で互いに嵌合されるとともに、外側円筒部同士がシール材を介装した状態で互いに嵌合されるようにしてもよい。このようにすれば、一対の接続部材のそれぞれに形成される第一連通孔又は第二連通孔の何れか一方であって、内側円筒部の内側の領域に形成される第一連通孔又は第二連通孔の何れか一方は、常時連通した状態になる。そして、一対の接続部材のベース同士が間隔をあけた状態になるため、一対の接続部材のそれぞれに形成される第一連通孔又は第二連通孔の他方であって、内側円筒部と外側円筒部との間の領域でベースを貫通した第一連通孔又は第二貫通孔の他方は、一対の接続部材の回転状態に関係なく、ベース間に形成される空間を介して連通する。これにより、伝熱カセットを引き上げても水の流通が阻害されず、排水路内に残る伝熱カセット内の水を排水路内の使用済みの湯と熱交換させることができる。
【００１９】
本発明の他態様として、複数の伝熱カセットのそれぞれは、プレート状に形成され、接続体の重なる領域が伝熱カセットの一端側に設定されるとともに、給水孔及び排水孔が伝熱カセットの一端側に設けられ、通水路は、伝熱カセットの両面間で、給水孔から供給された水が伝熱カセットの一端側から他端側に流れた上で一端側に戻って排水孔に排出されるように形成されることが好ましい。このようにすれば、伝熱カセットの両側を流れる使用済みの温水の熱が伝熱カセット内の通水路で流通する水に効率的に伝わる。また、通水路の経路長が長くなるため、使用済みの温水と通水路内の水とが熱交換する機会が増え、給水源からの水を効率的に加熱することができる。
【００２０】
この場合、通水路は、伝熱カセットの一端と他端との間で蛇行するように形成されることが好ましい。このようにすれば、通水路の経路長がより長くなり、使用済みの温水と通水路内の水とが熱交換する機会が増え、給水源からの水をさらに効率的に加熱することができる。
【発明の効果】
【００２１】
以上のように、本発明に係る給湯システム用排熱回収装置は、使用済みの温水と給水源からの水との間で効率的に熱交換させることができる上に、使用済みの温水の流通に伴って付着したスケールを物理的に除去することができるという優れた効果を奏し得る。
【図面の簡単な説明】
【００２２】
【図１】図１は、本発明の一実施形態に係る排熱回収装置を採用した給湯システムの概略系統図である。
【図２】図２は、同実施形態に係る排熱回収装置の全体斜視図であって、排水路内で複数の伝熱カセットを整列させた状態の全体斜視図である。
【図３】図３は、同実施形態に係る排熱回収装置の全体斜視図であって、排水路内に設置した複数の伝熱カセットのうち、清掃の対象となる伝熱カセットを排水路から引き出した状態の全体斜視図である。
【図４】図４は、同実施形態に係る排熱回収装置における伝熱カセットの斜視図であって、図４Ａは、伝熱カセットを一方の面側から見た斜視図であり、図４Ｂは、伝熱カセットを他方の面側から見た斜視図である。
【図５】図５は、同実施形態に係る排熱回収装置における伝熱カセットの断面図である。
【図６】図６は、同実施形態に係る排熱回収装置における接続体の全体図であって、図６Ａは、正面図であり、図６Ｂは、背面図である。
【図７】図７は、同実施形態に係る排熱回収装置における接続体の断面図であって、図６ＡのＩ−Ｉ断面図である。
【図８】図８は、同実施形態に係る排熱回収装置の一部を省略した部分拡大断面図である。
【図９】図９は、本発明の他実施形態に係る排熱回収装置の一部を省略した部分拡大断面図である。
【図１０】図１０は、本発明の別の実施形態に係る排熱回収装置の一部を省略した部分拡大断面図である。
【図１１】図１１は、本発明のさらに別の実施形態に係る排熱回収装置における接続体の断面図である。
【図１２】図１２は、本発明のさらに別の実施形態に係る排熱回収装置における接続体の断面図であって、図１２Ａは、第一連通孔及び第二連通孔のそれぞれを連通させた状態の断面図であり、図１２Ｂは、第一接続部材及び第二接続部材の相対回転により、第一連通孔を環状部で閉塞した状態の断面図である。
【図１３】図１３は、本発明のさらに別の実施形態に係る排熱回収装置における接続体の断面図であって、図１３Ａは、第一連通孔及び第二連通孔のそれぞれを連通させた状態の断面図であり、図１３Ｂは、第一接続部材及び第二接続部材の相対回転により、第一連通孔及び第二連通孔のそれぞれを環状部で閉塞した状態の断面図である。
【発明を実施するための形態】
【００２３】
以下、本発明の一実施形態に係る給湯システム用排熱回収装置（以下、単に排熱回収装置という）について、添付図面を参照して説明する。
【００２４】
まず、排熱回収装置の説明に先立ち、該排熱回収装置が採用される給湯システムの一例について説明する。
【００２５】
本実施形態に係る給湯システムは、図１に示す如く、熱量を多く含む排温水が浴槽ＢＴを備えた浴室ＢＲから大量に排出されることに着目したもので、上水道等の給水源からの水を加熱して高温な湯にする湯沸器１０と、該湯沸器１０に接続された給湯配管系１１と、給水源に接続された給水配管系１２と、給湯配管系１１と給水配管系１２とを接続した混合弁１３と、浴室ＢＲや、洗面所、台所等の複数の給湯箇所と混合弁１３とを繋ぐ配管系１４とを備えている。
【００２６】
湯沸器１０は、給水源に繋がる配管が接続されており、給水源からの水（以下、供給水という）が常温の状態で供給されるようになっている。図１に示す概略系統図では、給水配管系１２を分岐させた配管を湯沸器１０に接続している。そして、湯沸器１０は、供給された水を加熱して高温な湯にするようになっている。すなわち、湯沸器１０は、給水源から供給される水を流通させつつ連続的に加熱する連続式のものや、給水源から供給される水を貯留して加熱する貯湯式のものが採用される。なお、湯沸器１０は、浴室ＢＲや、台所、洗面所等の設置された止水栓（採番しない）が開栓されると、加熱された水（高温になった湯）を混合弁１３に向けて順次送り出すように構成されている。
【００２７】
給水配管系１２は、給水源と混合弁１３とを流体的に接続しており、浴槽ＢＴを備えた浴室ＢＲの排水口Ｄに繋がる排水路ＤＲ内を流通する使用済みの温水（以下、排温水という）から排熱を回収する排熱回収装置２を途中位置に備える。すなわち、給水配管系１２は、給水源に繋がる一次側給水配管１２０と、給湯配管系１１に合流する（混合弁１３に繋がる）二次側給水配管１２１と、一次側給水配管１２０及び二次側給水配管１２１が接続された排熱回収装置２であって、浴槽ＢＴを備えた浴室ＢＲの排水口Ｄに繋がる排水路ＤＲ内に設置される排熱回収装置２とを備える。
【００２８】
なお、図１において、排水路ＤＲ全体が浴槽ＢＴの下方に配置されているが、実際には、排水路ＤＲの少なくとも排熱回収装置２が設置される領域は、浴槽ＢＴに対して横方向にずれた位置（上方に浴槽ＢＴのない位置）に配置され、排熱回収装置２の設置スペースの上方に着脱可能な蓋Ｃが配置されている。これにより、蓋Ｃを取り外すことで排水路ＤＲ内に設置された排熱回収装置２に対してアクセスできるようになっている。蓋Ｃの着脱を上方から行えるようになっている。
【００２９】
本実施形態に係る給湯配管系１１は、湯沸器１０と混合弁１３とを接続した配管である。混合弁１３は、いわゆる三方弁で構成されている。配管系１４は、上述の如く、浴室ＢＲを含む複数箇所に給湯可能に構成されている。すなわち、配管系１４は、混合弁１３に接続される主配管１４０と、該主配管１４０に接続された分岐継手（採番しない）と、分岐継手と浴室ＢＲとを繋ぐ第一配管１４１と、分岐継手と浴室ＢＲ以外の箇所とを繋ぐ第二配管１４２とを備えている。なお、第二配管１４２は、途中で分岐されて台所や洗面所等に繋がっている。
【００３０】
本実施形態に係る給湯システム１は、上記構成に加え、配管系１４における浴室ＢＲ以外の箇所（台所や洗面所）に繋がる経路（第二配管）１４２上での湯の流通の有無を検知する給湯検知装置１５と、入浴に関連する情報を取得する入浴情報取得装置１６と、浴室ＢＲ内の浴槽ＢＴの下部に接続された排水系ＤＰを開閉する開閉弁１７と、給湯検知装置１５及び入浴情報取得装置１６の検知結果に基づいて開閉弁１７を開閉させる制御装置１８とをさらに備えている。
【００３１】
本実施形態に係る給湯検知装置１５は、流量センサで構成されており、第二配管１４２上に設けられている。これにより、給湯検知装置（流量センサ）１５は、浴室ＢＲ以外の箇所に給湯するときに第二配管１４２（経路）上で湯の流通の有無を検知できるようになっている。
【００３２】
本実施形態に係る入浴情報取得装置１６は、流体の流通に伴ってＯＮ信号を出力するフロースイッチで構成されており、第一配管１４１上に設けられている。これにより、入浴情報取得装置１６（フロースイッチ）は、浴室ＢＲに給湯するときに第一配管１４１（経路）上で湯の流通の有無を検知し、湯の流通がある状態でＯＮ信号を出すようになっている。
【００３３】
排水系ＤＰは、浴槽ＢＴ内に貯められた温水（湯）を排水路ＤＲにおける排熱回収装置２の上流側に排出可能に構成されている。開閉弁１７は、駆動源を備えた弁体で構成される。本実施形態に係る開閉弁１７は、電動ボール弁で構成されており、制御装置１８の指示で開閉するようになっている。
【００３４】
制御装置１８は、ＣＰＵ等を含む制御基板で構成されている。制御装置１８は、入浴情報取得装置１６の検知結果を基に浴室ＢＲに繋がる経路上での湯の流通があると判断したときに入浴中である（入浴者が浴室ＢＲのシャワー等で湯を使用している）と判断し、入浴情報取得装置１６の検知結果を基に浴室ＢＲに繋がる経路上での湯の流通がないと判断したときに入浴中でないと判断するように構成されている。そして、制御装置１８は、入浴中であると判断すると、開閉弁１７を閉状態にする一方、入浴中でないと判断するとともに給湯検知装置１５の検知結果を基に浴室ＢＲ以外の箇所に繋がる経路上での湯の流通があると判断すると開閉弁１７を開状態にするように構成されている。
【００３５】
給湯システム１の全体構成は、以上の通りであり、続いて、上記給湯システム１に採用される排熱回収装置２について具体的に説明する。
【００３６】
本実施形態に係る排熱回収装置２は、図２及び図３に示す如く、排温水が排出される排水口Ｄに繋がる排水路ＤＲ内に設置される複数の伝熱カセット３，…であって、互いに間隔をあけて配置された複数の伝熱カセット３，…と、それぞれが伝熱カセット３，３間に配置されて隣り合う伝熱プレート３，３同士を接続する複数の接続体４，…であって、複数の伝熱カセット３，…の並ぶ方向に延びる仮想基準線ＢＬ上で整列して配置された複数の接続体４，…とを備える。
【００３７】
複数の伝熱カセット３，…のそれぞれは、図４に示す如く、内部に形成された通水路３０と、通水路３０に供給水を供給する（流入させる）給水孔３１であって、接続体４，…と重なる領域ＭＡ内で仮想基準線ＢＬの延びる方向に貫設された給水孔３１と、通水路３０からの水を排出する（流出させる）排水孔３２であって、接続体４，…と重なる領域ＭＡにおける給水孔３１と異なる位置で仮想基準線ＢＬの延びる方向に貫設された排水孔３２とを備える。
【００３８】
複数の伝熱カセット３，…のそれぞれは、プレート状に形成されている。伝熱カセット３，…は、面対向させた状態で間隔をあけて配置された二枚の伝熱プレート３３，３３であって、互いの外周端部間が封止された二枚の伝熱プレート３３，３３を備える。これにより、二枚の伝熱プレート３３，３３の間に通水路３０が形成されている。本実施形態に係る伝熱カセット３において、接続体４の取り付け位置（接続体４，…と重なる領域ＭＡ）が当該伝熱カセット３（伝熱プレート３３）の一端側に設定されるとともに、給水孔３１及び排水孔３２についても伝熱カセット３（伝熱プレート３３）の一端側に設けられている。これに伴い、通水路３０は、給水孔３１から流入した（供給された）供給水が伝熱カセット３（伝熱プレート３３）の一端側から他端側に流れた上で一端側に戻って排水孔３２に排出されるように形成される。本実施形態において、通水路３０は、伝熱カセット３，…の一端と他端との間で蛇行するように形成されている。
【００３９】
より具体的に説明する。本実施形態に係る伝熱カセット３，…は、二枚の伝熱プレート３３，３３と、通水路３０を所望する経路にするための流路形成部材３４であって、二枚の伝熱プレート３３，３３に挟まれる流路形成部材３４とを備える。
【００４０】
二枚の伝熱プレート３３，３３は、同形で且つ同サイズに形成される。本実施形態において、二枚の伝熱プレート３３，３３は、一方向に長手をなした概ね長方形状に形成される。流路形成部材３４は、図５に示す如く、二枚の伝熱プレート３３，３３間の封止すべき領域に即した形状に形成される。これに伴って、二枚の伝熱プレート３３，３３間の流路形成部材３４の存在しない部分に通水路３０が形成されている。
【００４１】
本実施形態において、伝熱カセット３，…の長手方向の一端の領域であって、該長手方向と直交する短手方向の一端側の領域に、接続体４，…が接続される。すなわち、平面視長方形状に形成される伝熱カセット３，…（伝熱プレート３３，３３）の四つの角部のうちの一つの角部に接続体４が接続される。従って、本実施形態に係る接続体４は、伝熱カセット３，…の長手方向の一端の領域であって、該長手方向と直交する短手方向の一端側の領域と重なる（図４参照）。
【００４２】
これに伴い、伝熱カセット３，…の接続体４と重なる領域（以下、接続領域という）ＭＡ内に給水孔３１及び排水孔３２が設けられている。すなわち、伝熱カセット３，…を構成する二枚の伝熱プレート３３，３３のそれぞれにおける接続領域ＭＡ内に給水孔３１及び排水孔３２が設けられている。
【００４３】
本実施形態において、二枚の伝熱プレート３３，３３のそれぞれの給水孔３１は、同形且つ同サイズであり、互いに重なり合うように配置されている。また、二枚の伝熱プレート３３，３３のそれぞれの排水孔３２は、同形且つ同サイズであり、互いに重なり合うように配置されている。すなわち、単一の伝熱カセット３を構成する二枚の伝熱プレート３３，３３のそれぞれには、同形且つ同サイズの給水孔３１が同心で設けられるとともに、同形で且つ同サイズの排水孔３２が同心で設けられている。
【００４４】
本実施形態において、排水孔３２は、仮想基準線ＢＬ上に中心が位置するように設けられ、給水孔３１は、排水孔３２の周辺に設けられている。より具体的には、排水孔３２は、仮想基準線ＢＬを中心とした丸穴状に形成され、給水孔３１が、排水孔３２の外側で該排水孔３２に沿った長孔状に形成されている。すなわち、給水孔３１は、仮想基準線ＢＬを曲率中心とした円弧状に形成されている。本実施形態において、給水孔３１は、排水孔３２の周囲に複数（二つ）設けられている。
【００４５】
通水路３０は、給水孔３１から排水孔３２に到達するように形成される。すなわち、通水路３０は、二枚の伝熱プレート３３，３３の並ぶ方向(仮想基準線ＢＬの延びる方向）で方向変換することなく、伝熱プレート３３，３３の内面に沿った状態で方向変換するように形成されている。
【００４６】
より具体的には、通水路３０は、給水孔３１を始点に形成される蛇行路３０ａ，３０ａであって、長手方向と直交する短手方向に蛇行しつつ長手方向の他端側にまで延びる蛇行路３０ａ，３０ａと、蛇行路３０ａ，３０ａの終点に接続された直線路３０ｂであって、排水孔３２を終点に形成される直線路３０ｂとを含む。本実施形態において、蛇行路３０ａ，３０ａは、二系統形成されている。二系統の蛇行路３０ａ，３０ａは、並列に形成され、それぞれの始点が二つの給水孔３１のそれぞれに対応し、それぞれの終点が直線路３０ｂの始点に合流している。
【００４７】
これに伴い、流路形成部材３４は、伝熱プレート３３，３３の外周縁部に沿って配置され、伝熱プレート３３，３３の外周間を閉じる環状封止部３４ａと、環状封止部３４ａの内側にある空間を仕切って上記形態の直線路３０ｂ及び蛇行路３０ａ，３０ａに画定する空間仕切部３４ｂとを備える。かかる流路形成部材３４（環状封止部３４ａ、空間仕切部３４ｂ）は、二枚の伝熱プレート３３，３３に挟まれた状態で該伝熱プレート３３，３３のそれぞれに液密に固着されている。
【００４８】
複数の接続体４，…のそれぞれは、図６及び図７に示す如く、隣り合う伝熱プレート３３，３３のそれぞれに取り付けられる一対の接続部材４０ａ，４０ｂを備える。一対の接続部材４０ａ，４０ｂのそれぞれは、取り付けられる伝熱カセット３，…の給水孔３１と連通する第一連通孔４１ａ，４１ｂと、該伝熱カセット３，…の排水孔３２と連通する第二連通孔４２ａ，４２ｂとを有する。そして、一対の接続部材４０ａ，４０ｂは、仮想基準線ＢＬ回りで相対回転可能に互いに接続されている。また、一対の接続部材４０ａ，４０ｂは、少なくとも複数の伝熱カセット３，…が整列して配置された状態で、互いの第一連通孔４１ａ，４１ｂ同士が連通するとともに、互いの第二連通孔４２ａ，４２ｂ同士が連通するように構成されている。
【００４９】
本実施形態において、一対の接続部材４０ａ，４０ｂのそれぞれは、取り付けられる伝熱カセット３，…（伝熱プレート３３）に重ね合わせられるベース４３ａ，４３ｂと、仮想基準線ＢＬと同心でベース４３ａ，４３ｂの一方の面から相手方（相手方の接続部材４０ａ，４０ｂ）に向けて突出した内側円筒部４４ａ，４４ｂと、仮想基準線ＢＬと同心でベース４３ａ，４３ｂの一方の面から相手方（相手方の接続部材４０ａ，４０ｂ）に向けて突出した外側円筒部４５ａ，４５ｂであって、内側円筒部４４ａ，４４ｂの外周全周に対して間隔をあけて該内側円筒部４４ａ，４４ｂを包囲する外側円筒部４５ａ，４５ｂとを備える。
【００５０】
これに伴い、第一連通孔４１ａ，４１ｂは、内側円筒部４４ａ，４４ｂの内側の領域、又は内側円筒部４４ａ，４４ｂと外側円筒部４５ａ，４５ｂとの間の領域のうちの何れか一方の領域でベース４３ａ，４３ｂを貫通して設けられる。
【００５１】
第二連通孔４２ａ，４２ｂは、内側円筒部４４ａ，４４ｂの内側の領域、又は内側円筒部４４ａ，４４ｂと第一の外側円筒部４５ａ，４５ｂとの間の領域のうちの何れか他方の領域でベース４３ａ，４３ｂを貫通して設けられる。
【００５２】
一対の接続部材４０ａ，４０ｂは、内側円筒部４４ａ，４４ｂ同士がシール材Ｓを介装した状態で互いに嵌合されるとともに、外側円筒部４５ａ，４５ｂ同士がシール材Ｓを介装した状態で互いに嵌合される。
【００５３】
より具体的に説明する。本実施形態において、一対の接続部材４０ａ，４０ｂのうちの一方の接続部材（以下、第一接続部材という）４０ａは、図７に示す如く、第一面と反対側の第二面とを有するベース（以下、第一ベースという）４３ａと、第一ベース４３ａの第一面から該第一面と直交する方向に延出する円環状の内側円筒部（以下、第一内側円筒部という）４４ａと、第一内側円筒部４４ａの外周を包囲する外側円筒部（以下、第一外側円筒部という）４５ａであって、第一ベース４３ａの第一面から該第一面と直交する方向に延出する円環状の第一外側円筒部４５ａとを備える。
【００５４】
そして、第一接続部材４０ａにおいて、第一ベース４３ａにおける第一内側円筒部４４ａの内側の領域（第一内側円筒部４４ａに包囲された領域）と対応する領域に第二連通孔４２ａとしての貫通孔が設けられている。本実施形態において、第一接続部材４０ａにおける第二連通孔（貫通孔）４２ａは、第一内側円筒部４４ａの内周形状に即して丸穴状に形成される。また、第一接続部材４０ａにおいて、第一ベース４３ａにおける第一内側円筒部４４ａと第一外側円筒部４５ａとの間の領域（環状の領域）と対応した領域内に、第一連通孔４１ａとしての貫通孔が設けられている。第一接続部材４０ａにおける第一連通孔（貫通孔）４１ａは、第一内側円筒部４４ａの周方向に延びる長孔状に形成される。本実施形態において、第一接続部材４０ａにおける第一連通孔４１ａは、第一内側円筒部４４ａの周方向に間隔をあけて二つ設けられている。
【００５５】
第一接続部材４０ａにおける第二連通孔４２ａは、隣り合う二つの伝熱カセット３，３のうちの一方の伝熱カセット３に第一ベース４３ａを重ね合わせた状態で、該伝熱カセット３，…の排水孔３２と重なる（連通する）ように設けられている。また、第一接続部材４０ａにおける二つの第一連通孔４１ａ，４１ａは、隣り合う二つの伝熱カセット３，３のうちの一方の伝熱カセット３に第一ベース４３ａを重ね合わせた状態で、該伝熱カセット３の二つの給水孔３１，３１と重なる（連通する）ように設けられている。
【００５６】
一対の接続部材４０ａ，４０ｂのうちの他方の接続部材（以下、第二接続部材という）４０ｂは、第一面と反対側の第二面とを有するベース（以下、第二ベースという）４３ｂと、第二ベース４３ｂの第一面から該第一面と直交する方向に延出する円環状の内側円筒部（以下、第二内側円筒部という）４４ｂと、第二内側円筒部４４ｂの外周を包囲する外側円筒部（以下、第二外側円筒部という）４５ｂであって、第二ベース４３ｂの第一面から該第一面と直交する方向に延出する円環状の第二外側円筒部４５ｂとを備える。
【００５７】
そして、第二接続部材４０ｂにおいて、第二ベース４３ｂにおける第二内側円筒部４４ｂの内側の領域（第二内側円筒部４４ｂに包囲された領域）と対応する領域に第二連通孔４２ｂとしての貫通孔が設けられている。本実施形態において、第二接続部材４０ｂにおける第二連通孔（貫通孔）４２ｂは、第二内側円筒部４４ｂの内周形状に即して丸穴状に形成される。また、第二接続部材４０ｂにおいて、第二ベース４３ｂにおける第二内側円筒部４４ｂと第二外側円筒部４５ｂとの間の領域（環状の領域）と対応した領域内に、第一連通孔４１ｂとしての貫通孔が設けられている。第二接続部材４０ｂにおける第一連通孔（貫通孔）４１ｂは、第二内側円筒部４４ｂの周方向に延びる長孔状に形成される。本実施形態において、第二接続部材４０ｂにおける第二連通孔４２ａ，４２ｂは、第二内側円筒部４４ｂの周方向に間隔をあけて二つ設けられている。
【００５８】
第二接続部材４０ｂにおける第二連通孔４２ｂは、隣り合う二つの伝熱カセット３，３のうちの他方の伝熱カセット３に第二ベース４３ｂを重ね合わせた状態で、該伝熱カセット３，…の排水孔３２と重なる（連通する）ように設けられている。また、第二接続部材４０ｂにおける二つの第一連通孔４１ｂ，４１ｂは、隣り合う二つの伝熱カセット３，３のうちの他方の伝熱カセット３に第二ベース４３ｂを重ね合わせた状態で、該伝熱カセット３の二つの給水孔３１，３１と重なる（連通する）ように設けられている。
【００５９】
第一接続部材４０ａ及び第二接続部材４０ｂは、互いのベース４３ａ，４３ｂの第一面同士を対向させた状態で、互いに組み合わせられている。すなわち、第一内側円筒部４４ａに対して第二内側円筒部４４ｂが挿入されるとともに、第一外側円筒部４５ａに対して第二内側円筒部４４ｂが挿入される。これにより、第一接続部材４０ａ及び第二接続部材４０ｂは、第二連通孔４２ａ，４２ｂの孔中心を回転中心にして相対回転可能となっている。
【００６０】
本実施形態において、第一内側円筒部４４ａの外周面と第二内側円筒部４４ｂの内周面との間にシール材Ｓを介装する隙間を形成するために、第二接続部材４０ｂの第二内側円筒部４４ｂの外径は、第一接続部材４０ａの第一内側円筒部４４ａの内径よりも小径に設定され、第一外側円筒部４５ａの内周面と第二外側円筒部４５ｂの外周面との間にシール材Ｓを介装する隙間を形成するために、第二接続部材４０ｂの第二外側円筒部４５ｂの外径は、第一接続部材４０ａの第一外側円筒部４５ａの内径よりも小径に設定されている。なお、本実施形態において、第一内側円筒部４４ａと第二内側円筒部４４ｂとの間の隙間に介装されるシール材Ｓ、及び第一外側円筒部４５ａと第二外側円筒部４５ｂとの間の隙間に介装されるシール材Ｓの何れにもＯリングが採用されている。これにより、本実施形態に係る接続体４，…は、第一接続部材４０ａ及び第二接続部材４０ｂを相対的に回転させても、第一内側円筒部４４ａと第二内側円筒部４４ｂとの間、及び第一外側円筒部４５ａと第二外側円筒部４５ｂとの間が液密に保たれるようになっている。
【００６１】
本実施形態に係る接続体４，…は、上述の如く、第一接続部材４０ａ及び第二接続部材４０ｂを組み合わせるため、第一接続部材４０ａの第二連通孔４２ａと第二接続部材４０ｂの第二連通孔４２ｂが重複し、常時連通した状態になる。そして、本実施形態に係る接続体４，…は、第一内側円筒部４４ａが第二ベース４３ｂの第一面と干渉するとともに、第二外側円筒部４５ｂが第一ベース４３ａの第一面と干渉する。これにより、本実施形態に係る接続体４，…は、第一ベース４３ａと第二ベース４３ｂとの間に空間Ｘが形成される。これにより、本実施形態に係る接続体４，…は、第一接続部材４０ａの第一連通孔４１ａと第二接続部材４０ｂの第一連通孔４１ｂとが重複している状態（配置が対応している状態）だけでなく、第一接続部材４０ａの第一連通孔４１ａと第二接続部材４０ｂの第一連通孔４１ｂとが重複していない状態（配置が対応していない状態）であっても、第一ベース４３ａと第二ベース４３ｂとの間に形成される空間Ｘを介して第一接続部材４０ａの第一連通孔４１ａと第二接続部材４０ｂの第一連通孔４１ｂとが連通した状態で維持するようになっている。
【００６２】
そして、隣り合う二つの伝熱カセット３，３のうちの一方の伝熱カセット３に第一接続部材４０ａが取り付けられ、他方の伝熱カセット３に第二接続部材４０ｂが取り付けられた上で、第一接続部材４０ａと第二接続部材４０ｂとが上述の如く互いに組み合わされる。すなわち、第一接続部材４０ａと第二接続部材４０ｂとの回転中心が伝熱カセット３，…を通過する仮想基準線ＢＬと一致するように、接続体４が隣り合う伝熱カセット３，３に固定される。本実施形態において、伝熱カセット３，…の排水孔３２の孔中心が仮想基準線ＢＬと一致し、接続体４，…（第一接続部材４０ａ、第二接続部材４０ｂ）の第二連通孔４２ａ，４２ｂの孔中心が第一接続部材４０ａと第二接続部材４０ｂとの回転中心と一致しているため、接続体４，…は、自身の第二連通孔４２ａ，４２ｂの孔中心が伝熱カセット３，…の排水孔３２の孔中心と一致するように、伝熱カセット３，…に取り付けられる。これにより、隣り合う伝熱カセット３，３のそれぞれが仮想基準線ＢＬを中心にして相対回転可能となっている。
【００６３】
従って、複数の伝熱カセット３，…は、図２、図３、及び図８に示す如く、接続体４と対応する間隔をあけて配置され、複数の接続体４，…のそれぞれが伝熱カセット３，…間に配置された上で、各接続体４，…の第一接続部材４０ａ及び第二接続部材４０ｂが隣り合う伝熱カセット３，３に固定されることで、複数の伝熱カセット３，…のそれぞれが独立して仮想基準線ＢＬを回転中心にして回転可能になっている。また、伝熱カセット３，３間に接続体４が介在することで、各伝熱カセット３，…は、隣の伝熱カセット３，３に対して間隔をあけて配置された状態で維持する。
【００６４】
本実施形態に係る排熱回収装置２は、第一接続部材４０ａと第二接続部材４０ｂとを嵌め合わせた（組み合わせた）接続体４，…が採用されるため、複数の伝熱カセット３，…が仮想基準線ＢＬの延びる方向に移動し、それぞれが外れてしまう虞がある。これに伴い、排熱回収装置２は、図２及び図３に示す如く、複数の伝熱カセット３，…が仮想基準線ＢＬの延びる方向に移動することを規制する規制部材５を備える。
【００６５】
本実施形態において、複数の伝熱カセット３，…のうちの最も外側にある二つの伝熱カセット３，３の外向きの面にも接続体４が取り付けられている。この接続体４は、伝熱カセット３，３間に配置される接続体４と同一である。これに伴い、規制部材５は、最も外側にある伝熱カセット３，３に取り付けられた接続体４，４のそれぞれに連結される一対の連結部５０ａ，５０ｂと、連結部５０ａ，５０ｂ同士を連結して一対の連結部５０ａ，５０ｂの配置（距離）を一定又は略一定に維持させる連結梁５１とを備える。最も外側にある接続体４，４において、第一接続部材４０ａ又は第二接続部材４０ｂの何れか一方が伝熱カセット３，…に固定される。これに伴い、一対の連結部５０ａ，５０ｂのそれぞれは、図８に示す如く、伝熱カセット３に固定されていない第一接続部材４０ａ又は第二接続部材４０ｂの何れか他方に連結される。
【００６６】
一対の連結部５０ａ，５０ｂのうちの一方の連結部（以下、第一連結部という）５０ａは、給水源に繋がる一次側給水配管１２０と接続可能に構成され、一対の連結部５０ａ，５０ｂのうちの他方の連結部（以下、第二連結部という）５０ｂは、二次側給水配管１２１と接続可能に構成される。これに伴い、第一連結部５０ａには、一次側給水配管１２０と第一連通孔４１ａ，４１ｂとを流体的に繋ぐ接続路５２ａが形成されるとともに、最も外側にある二つの接続体４，４のうちの一方の接続体４の第二連通孔４２ａ，４２ｂを封止可能に構成される。これに対し、第二連結部５０ｂには、二次側給水配管１２１と第二連通孔４２ａ，４２ｂとを流体的に繋ぐ接続路５２ｂが形成されるとともに、最も外側にある二つの接続体４，４のうちの他方の接続体４の第一連通孔４１ａ，４１ｂを封止可能に構成される。
【００６７】
連結梁５１は、図２及び図３に示す如く、複数の伝熱カセット３，…のそれぞれが排水路ＤＲ内に設置された状態で回転可能（引き出し可能）となるように、伝熱カセット３，…の移動（回転）領域を躱すように配置されている。
【００６８】
本実施形態に係る排熱回収装置２は、以上の通りであり、図２に示す如く、複数の伝熱カセット３，…を整列させた状態で各伝熱カセット３，…が排温水（排水）の流れに沿うように排水路ＤＲ内に配置される。
【００６９】
本実施形態に係る排熱回収装置２は、複数の伝熱カセット３，…が互いに間隔をあけて配置されるため、上述の如く、浴室ＢＲからの排温水が排水路ＤＲに排水されると、排水路ＤＲを流通する排温水が伝熱カセット３，…間を流通する。
【００７０】
そして、複数の伝熱カセット３，…が整列して配置された状態で、互いの第一連通孔４１ａ，４１ｂ同士が連通するとともに、互いの第二連通孔４２ａ，４２ｂ同士が連通するように構成されているため、図８に示す如く、排水路ＤＲ内の複数の伝熱カセット３，…が整列した状態で、接続体４を構成する一対の接続部材４０ａ，４０ｂの第一連通孔４１ａ，４１ｂ同士が連通し、また、複数の接続体４，…の第一連通孔４１ａ，４１ｂが伝熱カセット３，…の給水孔３１を介して連通する。すなわち、複数の伝熱カセット３，…が整列した状態で、複数の伝熱カセット３，…の給水孔３１と複数の接続体４，…の第一連通孔４１ａ，４１ｂとが流体的に繋がり、一つの流入経路Ｒ１が形成される。
【００７１】
また、これに併せて、接続体４を構成する一対の接続部材４０ａ，４０ｂの第二連通孔４２ａ，４２ｂ同士が連通し、また、複数の接続体４，…の第二連通孔４２ａ，４２ｂが伝熱カセット３，…の排水孔３２を介して連通する。すなわち、複数の伝熱カセット３，…が整列した状態で、複数の伝熱カセット３，…の排水孔３２と複数の接続体４，…の第二連通孔４２ａ，４２ｂとが流体的に繋がり、一つの流出経路Ｒ２が形成される。
【００７２】
従って、複数の伝熱カセット３，…が整列した状態で、一次側給水配管１２０から供給水が供給されると、第一連通孔４１ａ，４１ｂ及び給水孔３１が連通して形成される流入経路Ｒ１（各伝熱カセット３，…の給水孔３１）から各伝熱カセット３，…内の通水路３０に供給水が流れ込む。そして、各伝熱カセット３，…の通水路３０を流通した水は、第二連通孔４２ａ，４２ｂ及び排水孔３２が連通して形成される流出経路Ｒ２（各伝熱カセット３，…の排水孔３２）に排出され（図５参照）、二次側給水配管１２１に送り出される。
【００７３】
このように、排温水が伝熱カセット３，…間に流通しつつ、給水源から連続的に供給される水が伝熱カセット３，…内の通水路３０で流通することで、排温水と供給水とが熱交換し、供給水が加熱される。従って、無駄なエネルギーを使用することなく、供給水を加熱でき、その水を湯沸器からの高温な湯と混合することができる。
【００７４】
そして、複数の伝熱カセット３，…を排水路ＤＲ内に設置すれば、排温水に含まれる油分や洗剤等が伝熱カセット３，…の表面にスケールとして付着乃至堆積することになる。しかしながら、本実施形態に係る排熱回収装置２は、複数の伝熱カセット３，…を接続する接続体４，…が複数の伝熱カセット３，…の並ぶ方向に延びる仮想基準線ＢＬ上で整列して配置され、複数の接続体４，…のそれぞれの一対の接続部材４０ａ，４０ｂが仮想基準線ＢＬ回りで相対回転可能に互いに接続されているため、各伝熱カセット３，…が両側にある接続体４，４に支持されつつ仮想基準線ＢＬ回りで回転自在となる。
【００７５】
これに伴い、清掃の対象となる伝熱カセット３，…が仮想基準線ＢＬ回りで回転操作されることで、図３に示す如く、該伝熱カセット３が排水路ＤＲから引き出される。従って、伝熱カセット３，…の表面をブラシ等で物理的に清掃でき、該伝熱カセット３，…の表面に付着したスケールを効果的に除去することができる。
【００７６】
特に、各接続体４，…において、第一接続部材４０ａ及び第二接続部材４０ｂのそれぞれに形成される第一連通孔４１ａ，４１ｂが第一内側円筒部４４ａの内側の領域及び第二内側円筒部４４ｂの内側の領域に貫通してされるため、常時連通した状態になる。
【００７７】
そして、第一接続部材４０ａの第一ベース４３ａと第二接続部材４０ｂの第二ベース４３ｂとの間に空間Ｘが形成されるため、第一接続部材４０ａ及び第二接続部材４０ｂのそれぞれに形成される第二連通孔４２ａ，４２ｂが、第一接続部材４０ａと第二接続部材４０ｂとの回転状態に関係なく、第一ベース４３ａと第二ベース４３ｂとの間に形成される空間Ｘを介して連通する。
【００７８】
これにより、伝熱カセット３，…が引き上げられても、供給水の流通が阻害されず、排水路ＤＲ内に残る伝熱カセット３，…内の供給水を排水路ＤＲ内の排温水と熱交換させることができる。
【００７９】
そして、本実施形態においては、複数の伝熱カセット３，…のそれぞれは、プレート状に形成されるため、伝熱カセット３，…の両側を流れる排温水の熱が伝熱カセット３，…内の通水路３０で流通する水に効率的に伝わる。また、通水路３０は、供給水が伝熱カセット３の一端側から他端側に流れた上で一端側に戻るように形成されているため、当該通水路３０の経路長が長くなり、排温水と通水路３０内の供給水とが熱交換する機会が増え、供給水を効率的に加熱することができる。
【００８０】
特に、通水路３０は、伝熱カセット３，…の一端と他端との間で蛇行するように形成されるため、通水路３０の経路長がより長くなり、排温水と通水路３０内の供給水とが熱交換する機会が増え、供給水をより効率的に加熱することができる。
【００８１】
なお、本発明は、上記各実施形態に限定されるものではなく、本発明の要旨を逸脱しない範囲で適宜変更を加え得ることは勿論のことである。
【００８２】
上記実施形態において、浴室から排出される排温水の有効活用を重点においた給湯システム１を中心に説明したが、これに限定されるものではない。例えば、排熱回収装置２は、台所や洗面所等の排水口に繋がる排水路ＤＲ内に設置するようにしてもよい。すなわち、排熱回収装置２は、排温水の排水の制御を行う給湯システム１に組み込んだものに限定されるものではなく、単に排温水が流れる排水路ＤＲ内に設置するようにしてもよい。
【００８３】
上記実施形態において、複数の伝熱カセット３，…のそれぞれが、同形で且つ同サイズに形成されたが、これに限定されるものではない。例えば、形状及びサイズの少なくとも何れか一方を異にする伝熱カセット３，…を組み合わせてもよい。但し、形態等の異なる伝熱カセット３，…を採用する場合であっても、複数の伝熱カセット３，…が同心で回転できるように、仮想基準線ＢＬ上で整列した状態で配置された接続体４，…によって、隣り合う伝熱カセット３，…が接続されることは勿論のことである。
【００８４】
上記実施形態において、伝熱カセット３，…の排水孔３２が仮想基準線ＢＬを中心とした貫通孔で構成され、給水孔３１が排水孔３２の周囲に設けられた貫通孔で構成されたが、これに限定されない。例えば、図９に示す如く、給水孔３１が仮想基準線ＢＬを中心とした貫通孔で構成され、排水孔３２が給水孔３１の周囲に設けられた貫通孔で構成されてもよい。この場合、接続体４，…の第一連通孔４１ａ，４１ｂがベース４３ａ，４３ｂにおける内側円筒部４４ａ，４４ｂの内側の領域と対応する領域に設けられ、第二連通孔４２ａ，４２ｂがベース４３ａ，４３ｂにおける内側円筒部４４ａ，４４ｂと外側円筒部４５ａ，４５ｂとの間の領域と対応する領域に設けられることは勿論のことである。すなわち、排熱回収装置２における給水源からの入口と出口とを上記実施形態と入れ替えてもよい。
【００８５】
上記実施形態において、伝熱カセット３，…に二つの給水孔３１が設けられるとともに、接続体４，…に二つの第一連通孔４１ａ，４１ｂが設けられたが、これに限定されない。例えば、伝熱カセット３，…に一つの給水孔３１が設けられるとともに、接続体４，…（第一接続部材４０ａ及び第二接続部材４０ｂのそれぞれ）に一つの第一連通孔４１ａ，４１ｂが設けられてもよい。
【００８６】
上記実施形態において、二枚の伝熱プレート３３，３３と、二枚の伝熱プレート３３，３３間に介装された流路形成部材３４とを備えた伝熱カセット３，…が採用されたが、これに限定されない。例えば、図１０に示す如く、重ね合わされる二枚の伝熱プレート３３，３３のうちの少なくとも何れか一方の伝熱プレート３３，３３をプレス成形することで、伝熱プレート３３，３３に流路形成部材３４の形態に対応した凸部を形成し、二枚の伝熱プレート３３，３３を重ね合わせた状態で伝熱プレート３３，３３に形成された凸部を相手側の伝熱プレート３３，３３（凸部が形成されている場合には凸部）にロウ付け等で接続して仕切部を形成し、二枚の伝熱プレート３３，３３間に通水路３０を形成するようにしてもよい。このようにしても、上記実施形態と同様の通水路３０を形成することができる。
【００８７】
そして、上述の如く、伝熱プレート３３，３３をプレス成形する場合、伝熱プレート３３，３３の通水路３０を画定する領域に凹凸（凹条及び凸条）を合わせて成型してもよい。このようにすれば、伝熱プレート３３，３３の表裏に対応した凹凸が形成されるため、供給水と排温水との接触面積が広くなる。すなわち、伝熱プレート３３，３３の表裏に凹凸を形成すれば、熱交換に利用される伝熱面積が広くなるため、熱交換効率を高めることができる。
【００８８】
上記実施形態において、伝熱カセット３，…内の通水路３０が長手方向と直交する短手方向に蛇行した蛇行路３０ａ，３０ａを有したが、これに限定されない。例えば、伝熱カセット３，…内の通水路３０は、長手方向で蛇行する蛇行路３０ａ，３０ａを備えてもよい。また、上記実施形態において、通水路３０が二系統の蛇行路３０ａ，３０ａを備えたが、例えば、一系統の蛇行路３０ａ，３０ａを備えてもよい。
【００８９】
上記実施形態において、伝熱カセット３，…内の通水路３０が蛇行路３０ａ，３０ａを有したが、これに限定されない。例えば、通水路３０は、供給水が伝熱カセット３，…の一端から他端に向けて直線的に流れた後に方向転換して一端側に戻るような形態であってもよい。すなわち、通水路３０は、伝熱カセット３，…における接続体４と重なる領域（接続領域）ＭＡ内にある給水孔３１と排水孔３２とに繋がるように形成されれば、種々の形態にしてもよい。
【００９０】
上記実施形態において、伝熱カセット３，…が一方向に長手をなす長方形状に形成されが、これに限定されない。例えば、伝熱カセット３，…は、プレート状をなすことを前提に、正方形状に形成されてもよいし、四角形状以外の形状に形成されてもよい。
【００９１】
上記実施形態において、第二接続部材４０ｂの第二内側円筒部４４ｂの外径が、第一接続部材４０ａの第一内側円筒部４４ａの内径よりも小径に設定されるとともに、第二接続部材４０ｂの第二外側円筒部４５ｂの外径が、第一接続部材４０ａの第一外側円筒部４５ａの内径よりも小径に設定されたが、これに限定されない。例えば、図１１に示す如く、
第二接続部材４０ｂの第二内側円筒部４４ｂの内径が、第一接続部材４０ａの第一内側円筒部４４ａの外径よりも大径に設定されるとともに、第二接続部材４０ｂの第二外側円筒部４５ｂの外径が、第一接続部材４０ａの第一外側円筒部４５ａの内径よりも小径に設定されてもよい。
【００９２】
この場合においても、第一内側円筒部４４ａと第二内側円筒部４４ｂとの間にシール材Ｓを介装できるとともに、第一外側円筒部４５ａと第二外側円筒部４５ｂとの間にシール材Ｓを介装できるため、上記実施形態と同様の作用及び効果を奏し得る。また、第一接続部材４０ａの第一内側円筒部４４ａ及び第一外側円筒部４５ａと、第二接続部材４０ｂの第二内側円筒部４４ｂ及び第二外側円筒部４５ｂとの大小関係は、逆の関係であっても勿論よい。
【００９３】
上記実施形態において、接続体４を構成する第一接続部材４０ａ及び第二接続部材４０ｂのそれぞれに内側円筒部４４ａ，４４ｂ及び外側円筒部４５ａ，４５ｂを設けたが、これに限定されない。例えば、図１２に示す如く、第一接続部材４０ａ又は第二接続部材４０ｂの何れか一方が、取り付けられる伝熱カセット３，…に重ね合わせられるベース４３ａ，４３ｂと、仮想基準線ＢＬと同心でベース４３ａ，４３ｂの一方の面から相手方に向けて突出した内側円筒部４４ａ，４４ｂと、仮想基準線ＢＬと同心でベース４３ａ，４３ｂの一方の面から相手方に向けて突出した外側円筒部４５ａ，４５ｂであって、内側円筒部４４ａ，４４ｂの外周全周に対して間隔をあけて該内側円筒部４４ａ，４４ｂを包囲する外側円筒部４５ａ，４５ｂとを備え、第一接続部材４０ａ又は第二接続部材４０ｂの何れか他方が、取り付けられる伝熱カセット３，…に重ね合わせられるベース４３ａ，４３ｂと、仮想基準線ＢＬと同心でベース４３ａ，４３ｂの一方の面から相手方に向けて突出した環状部４６ｂであって、相手方の内側円筒部４４ａ，４４ｂの外周と外側円筒部４５ａ，４５ｂの内周との間に形成される環状の空間に嵌入される環状部４６ａ，４６ｂとを備えるようにしてもよい。
【００９４】
この場合、図１２Ａに示す如く、第一接続部材４０ａ又は第二接続部材４０ｂの何れか一方において、第一連通孔４１ａ，４１ｂが、内側円筒部４４ａ，４４ｂの内側の領域、又は内側円筒部４４ａ，４４ｂと外側円筒部４５ａ，４５ｂとの間の領域のうちの何れか一方の領域でベース４３ａ，４３ｂを貫通して設けられるとともに、第二連通孔４２ａ，４２ｂが、内側円筒部４４ａ，４４ｂの内側の領域、又は内側円筒部４４ａ，４４ｂと第一の外側円筒部４５ａ，４５ｂとの間の領域のうちの何れか他方の領域でベース４３ａ，４３ｂを貫通して設けられ、第一接続部材４０ａ又は第二接続部材４０ｂの何れか他方において、第一連通孔４１ａ，４１ｂ及び第二連通孔４２ａ，４２ｂが、第一接続部材４０ａ又は第二接続部材４０ｂの何れか一方における第一連通孔４１ａ，４１ｂ及び第二連通孔４２ａ，４２ｂに対応した領域に貫通して設けられてもよい。そして、内側円筒部４４ａ，４４ｂと環状部４６ａ，４６ｂとの間、及び外側円筒部４５ａ，４５ｂと環状部４６ａ，４６ｂとの間にシール材Ｓが介装されることで、第一連通孔４１ａ，４１ｂと第二連通孔４２ａ，４２ｂとがシール材Ｓによって液密に仕切られ、伝熱カセット３，…の給水孔３１に水を供給しつつ該伝熱カセット３，…の排水孔３２から通水路３０からの水を排出することができる。
【００９５】
この場合、環状部４６ａ，４６ｂと相手方の接続部材４０ａ，４０ｂのベース４３ａ，４３ｂとを密接させれば、第一接続部材４０ａと第二接続部材４０ｂとを相対回転させることで、互いの第一連通孔４１ａ，４１ｂ同士、或いは第二連通孔４２ａ，４２ｂ同士が位置ずれした状態になり、図１２Ｂに示す如く、第一連通孔４１ａ，４１ｂ又は第二連通孔４２ａ，４２ｂが相手方の接続部材４０ａ，４０ｂに閉塞された状態になる。従って、伝熱カセット３，…を引き出すときに供給水の流れを遮断する場合には、上記構成の接続体４，…を採用してもよい。
【００９６】
上記実施形態において、第一接続部材４０ａ及び第二接続部材４０ｂの第二連通孔４２ａ，４２ｂを中央に形成し、第一連通孔４１ａ，４１ｂを第二連通孔４２ａ，４２ｂの周囲に形成したが、これに限定されない。例えば、図１３Ａに示す如く、第一接続部材４０ａ及び第二接続部材４０ｂのそれぞれの仮想基準線ＢＬを通過しない領域に、第一連通孔４１ａ，４１ｂ及び第二連通孔４２ａ，４２ｂが設けられてもよい。
【００９７】
具体的には、図１３に示す如く、第一接続部材４０ａ又は第二接続部材４０ｂの何れか一方が、取り付けられる伝熱カセット３，…に重ね合わせられるベース４３ａ，４３ｂと、仮想基準線ＢＬと同心でベース４３ａ，４３ｂの一方の面から相手方に向けて突出した内側円筒部４４ａ，４４ｂと、仮想基準線ＢＬと同心でベース４３ａ，４３ｂの一方の面から相手方に向けて突出した外側円筒部４５ａ，４５ｂであって、内側円筒部４４ａ，４４ｂの外周全周に対して間隔をあけて該内側円筒部４４ａ，４４ｂを包囲する外側円筒部４５ａ，４５ｂとを備え、第一接続部材４０ａ又は第二接続部材４０ｂの何れか他方が、取り付けられる伝熱カセット３，…に重ね合わせられるベース４３ａ，４３ｂと、仮想基準線ＢＬと同心でベース４３ａ，４３ｂの一方の面から相手方に向けて突出した環状部４６ｂであって、相手方の内側円筒部４４ａ，４４ｂの外周と外側円筒部４５ａ，４５ｂの内周との間に形成される環状の空間に嵌入される環状部４６ａ，４６ｂとを備え、第一接続部材４０ａ又は第二接続部材４０ｂの何れか一方の内側円筒部４４ａ，４４ｂと外側円筒部４５ａ，４５ｂとの間に、第一連通孔４１ａ，４１ｂ及び第二連通孔４２ａ，４２ｂが設けられ、第一接続部材４０ａ又は第二接続部材４０ｂの何れか他方の環状部４６ａ，４６ｂに、第一接続部材４０ａ又は第二接続部材４０ｂの何れか一方の第一連通孔４１ａ，４１ｂ及び第二連通孔４２ａ，４２ｂと対応する第一連通孔４１ａ，４１ｂ及び第二連通孔４２ａ，４２ｂが設けられてもよい。
【００９８】
この場合、環状部４６ａ，４６ｂを相手方のベース４３ａ，４３ｂに密接させておけば、第一接続部材４０ａ及び第二接続部材４０ｂを相対回転させることで、図１３Ａに示す如く、互いの第一連通孔４１ａ，４１ｂ同士、及び、第二連通孔４２ａ，４２ｂ同士が連通した状態と、図１３Ｂに示す如く、第一連通孔４１ａ，４１ｂ及び第二連通孔４２ａ，４２ｂが相手方の接続部材４０ａ，４０ｂに閉塞された状態とに切り換えることができる。従って、かかる構成の接続体４は、図１２に示した接続体４と同様に、伝熱カセット３，…を引き出すときに供給水の流れを遮断する場合に採用することができる。
【符号の説明】
【００９９】
１…給湯システム、２…排熱回収装置、３…伝熱カセット、４…接続体、５…規制部材、１０…湯沸器、１１…給湯配管系、１２…給水配管系、１３…混合弁、１４…配管系、１５…給湯検知装置、１６…入浴情報取得装置（検知センサ）、１７…開閉弁、１８…制御装置、３０…通水路、３０ａ…蛇行路、３０ｂ…直線路、３１…給水孔、３２…排水孔、３３…伝熱プレート、３４…流路形成部材、３４ａ…環状封止部、３４ｂ…空間仕切部、４０ａ…第一接続部材（接続部材）、４０ｂ…第二接続部材（接続部材）、４１ａ，４１ｂ…第一連通孔、４２ａ，４２ｂ…第二連通孔、４３ａ…第一ベース（ベース）、４３ｂ…第二ベース（ベース）、４４ａ…第一内側円筒部（内側円筒部）、４４ｂ…第二内側円筒部（内側円筒部）、４５ａ…第一外側円筒部（外側円筒部）、４５ｂ…第二外側円筒部（外側円筒部）、５０ａ…第一連結部（連結部）、５０ｂ…第二連結部（連結部）、５１…連結梁、５２ａ，５２ｂ…接続路、１２０…一次側給水配管、１２１…二次側給水配管、１４０…主配管、１４１…第一配管、１４２…第二配管、ＢＲ…浴室、ＢＴ…浴槽、Ｃ…蓋、Ｄ…排水口、ＤＰ…排水系、ＤＲ…排水路、Ｓ…シール材、ＭＡ…接続領域（接続体の取り付け位置）、Ｒ１…流入経路、Ｒ２…流出経路、ＢＬ…仮想基準線
【図１】
2014020763.tif 000003
【図２】
2014020763.tif 000004
【図３】
2014020763.tif 000005
【図４】
2014020763.tif 000006
【図５】
2014020763.tif 000007
【図６】
2014020763.tif 000008
【図７】
2014020763.tif 000009
【図８】
2014020763.tif 000010
【図９】
2014020763.tif 000011
【図１０】
2014020763.tif 000012
【図１１】
2014020763.tif 000013
【図１２】
2014020763.tif 000014
【図１３】
2014020763.tif 000015